(57)【要約】      （修正有）【課題】ネットワークに接続された再生機器毎にコンテンツを配信するか否かを決定可能な電子機器を提供する。【解決手段】電子機器１Ａは、ネットワークに接続された少なくとも１つ以上の他機器の各々に対してコンテンツの配信を許可するか否かを決定する配信機器決定画面を表示器に表示させる第１画面表示部２１０と、配信機器決定画面において、コンテンツの配信を許可することが決定された他機器及びコンテンツの配信を許可しないことが決定された他機器の少なくとも一方の情報を登録する配信機器登録部２２０と、登録された情報に基づき、コンテンツの配信が許可された他機器にコンテンツを配信し、コンテンツの配信が許可されていない他機器にコンテンツを配信しないコンテンツ配信部２４０と、を備える。【選択図】図１
2016066971.tif 000002
【特許請求の範囲】
【請求項１】
ネットワークに接続された少なくとも１つ以上の他機器の各々に対してコンテンツの配信を許可するか否かを決定する配信機器決定画面を表示器に表示させる第１画面表示部と、
前記配信機器決定画面において、前記コンテンツの配信を許可することが決定された他機器および前記コンテンツの配信を許可しないことが決定された他機器の少なくとも一方の情報を登録する配信機器登録部と、
前記登録された情報に基づき、前記コンテンツの配信を許可することが決定された前記他機器に前記コンテンツを配信し、前記コンテンツの配信を許可しないことが決定された前記他機器に前記コンテンツを配信しないコンテンツ配信部と、を備える電子機器。
【請求項２】
前記配信機器決定画面を表示させる前に前記コンテンツを配信するか否かを決定する配信可否決定画面を前記表示器に表示させる第２画面表示部を更に備え、
前記配信可否決定画面において前記コンテンツの配信を許可することを決定した場合に、前記第１画面表示部が前記配信機器決定画面を前記表示器に表示する請求項１に記載の電子機器。
【請求項３】
前記配信可否決定画面において前記コンテンツの配信を許可しないことを決定した場合に、前記配信機器登録部によって、すべての他機器に前記コンテンツの配信を許可しないことが登録される請求項２に記載の電子機器。
【請求項４】
ネットワークに接続された少なくとも１つ以上の他機器の各々に対してコンテンツの配信を許可するか否かを決定する配信機器決定画面を表示器に表示させ、
前記配信機器決定画面において、前記コンテンツの配信を許可することが決定された他機器および前記コンテンツの配信を許可しないことが決定された他機器の少なくとも一方の情報を登録し、
前記登録された情報に基づき、前記コンテンツの配信を許可することが決定された前記他機器に前記コンテンツを配信し、前記コンテンツの配信を許可しないことが決定された前記他機器に前記コンテンツを配信しないコンテンツ配信制御方法。
【請求項５】
更に、
前記配信機器決定画面を表示させる前に前記コンテンツを配信するか否かを決定する配信可否決定画面を前記表示器に表示させ、
前記配信可否決定画面において前記コンテンツの配信を許可することを決定した場合に、前記配信機器決定画面を前記表示器に表示する請求項４に記載のコンテンツ配信制御方法。
【請求項６】
前記配信可否決定画面において前記コンテンツの配信を許可しないことを決定した場合に、すべての他機器に前記コンテンツの配信を許可しないことが登録される請求項５に記載のコンテンツ配信制御方法。
【請求項７】
ネットワークに接続された他機器に、自機に記録したコンテンツのリストおよびコンテンツのデータを送信し、前記他機器が送信した、前記コンテンツのリストを基に生成したコンテンツ配信制限情報を受信する送受信部と、
前記コンテンツ配信制限情報に基づいて、前記コンテンツの配信を許可することが決定された他機器および前記コンテンツの配信を許可しないことが決定された他機器の少なくとも一方の情報を登録する配信機器登録部と、
前記登録された情報に基づき、前記コンテンツの配信を許可することが決定された前記他機器に前記コンテンツを配信し、前記コンテンツの配信を許可しないことが決定された前記他機器に前記コンテンツを配信しないコンテンツ配信部と、を備える電子機器。
【発明の詳細な説明】
【技術分野】
【０００１】
実施形態は、電子機器およびコンテンツ配信制御方法に関する。
【背景技術】
【０００２】
コンテンツサーバに記録されたコンテンツに対して視聴年齢制限を設ける、パレンタルロックが知られている。パレンタルロックによって定めた制限年齢より若いユーザは、パレンタルロックが課されたコンテンツを視聴することができない。近年、ネットワークに接続された電子機器の環境情報を得て、コンテンツの送信先である映像再生装置を視聴しているユーザの年齢を推定し、パレンタルロックが課されたコンテンツを配信するか否かを決定する技術が知られている。
【先行技術文献】
【特許文献】
【０００３】
【特許文献１】特開２００９−２１９０７２号公報
【発明の概要】
【発明が解決しようとする課題】
【０００４】
しかしながら、上記の技術では、ネットワークに接続された電子機器の環境を若いユーザが自ら変更するなどして、パレンタルロックが課されたコンテンツを視聴することが可能となる問題があった。
【０００５】
実施形態が解決する課題は、上記事情に鑑み、ネットワークに接続された端末毎にコンテンツを配信するか否かを決定可能な電子機器を提供することである。
【課題を解決するための手段】
【０００６】
実施形態に係る電子装置は、ネットワークに接続された少なくとも１つ以上の他機器の各々に対してコンテンツの配信を許可するか否かを決定する配信機器決定画面を表示器に表示させる第１画面表示部と、前記配信機器決定画面において、前記コンテンツの配信を許可することが決定された他機器および前記コンテンツの配信を許可しないことが決定された他機器の少なくとも一方の情報を登録する配信機器登録部と、前記登録された情報に基づき、前記コンテンツの配信が許可された前記他機器に前記コンテンツを配信し、前記コンテンツの配信が許可されていない前記他機器に前記コンテンツを配信しないコンテンツ配信部と、を備える。
【図面の簡単な説明】
【０００７】
【図１】図１は、第１の実施形態に係る電子機器１Ａの構成を示す図である。
【図２】図２は、電子機器１Ａがネットワークに接続されたシステムの一例を示した図である。
【図３】図３は、サーバ機能の設定画面の一例である。
【図４】図４は、暗証番号確認画面を示した図である。
【図５】図５は、警告画面を示した図である。
【図６】図６は、配信機器決定画面を示した図である。
【図７】図７は、電子機器１Ａを用いて、コンテンツの配信を許可するまたは許可しない他機器を登録する際の処理の流れを示したフローチャートである。
【図８】図８は、第２の実施形態に係る電子機器１Ｂの構成を示す図である。
【図９】図９は、配信可否決定画面を示した図である。
【図１０】図１０は、電子機器１Ｂを用いて、コンテンツの配信を許可するまたは許可しない他機器を登録する際の処理の流れを示したフローチャートである。
【図１１】図１１は、第３の実施形態に係る電子機器１Ｃの概略的な構成図である。
【発明を実施するための形態】
【０００８】
以下、図面を参照しながら実施形態に係る電子機器１Ａおよびシステムについて説明する。
【０００９】
（第１の実施形態）  
図１は、第１の実施形態に係る電子機器１Ａの構成を示す図である。
【００１０】
図１に示すように、第１の実施形態に係る電子機器１Ａは、アンテナ１０１、入力端子１０２、チューナー部１０３、外部入力端子１０４〜１０７、信号処理部１０８、コントローラ１１０、ＯＳＤ信号生成部１１１、グラフィック処理部１１２、映像処理部１１３、音声処理部１１４、操作部１１５、受信部１１７、カードホルダ１１９、カードインターフェース１２０、明るさセンサ１２１、ＬＡＮ端子１２２、通信インターフェース１２３、ＵＳＢ端子１２４、ＵＳＢインターフェース１２５、ＨＤＭＩ（登録商標）端子１２８、ＨＤＭＩインターフェース１２９、映像表示部１４１、スピーカ１４２、記録部１５１を備えている。
【００１１】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した番組表を受信し、表示することができる。また、ＢＳ／ＣＳデジタルテレビジョン放送用のチューナーにより、ＢＳ／ＣＳデジタルテレビジョン放送に対応した番組表を受信し、表示することもできる。
【００１２】
また、本実施形態では、図１に示すように、電子機器１Ａが、映像表示部１４１及びスピーカ１４２を備えるケースについて説明する。しかしながら、電子機器１Ａは、このような構成に限定されるものではない。例えば、電子機器１Ａは、映像表示部１４１及びスピーカ１４２を含まない構成であってもよい。つまり、電子機器１Ａは、ＨＤＭＩ等の接続手段を介して映像表示部１４１及びスピーカ１４２と接続する構成であってもよい。
【００１３】
また、本実施形態では、図１に示すように、電子機器１Ａが、記録部１５１を備えるケースについて説明する。しかしながら、電子機器１Ａは、このような構成に限定されるものではない。例えば、電子機器１Ａは、記録部１５１を含まない構成であってもよい。つまり、電子機器１Ａは、ＵＳＢ端子１２４及びＵＳＢインターフェース１２５などの接続手段を介して外部記憶装置（ＨＤＤなど）と接続する構成であってもよい。
【００１４】
また、本実施形態では、図１に示すように、電子機器１Ａが、複数のチューナーを備えるケースについて説明する。しかしながら、電子機器１Ａは、このような構成に限定されるものではない。例えば、電子機器１Ａが、複数のチューナーを含まない構成であってもよい。その場合、例えば、電子機器１Ａは、ＬＡＮ端子１２２を介してＩＰ（Internet Protocol）放送を受信し、ＩＰ放送の複数チャンネルに対応した番組を再生したり、録画したりする構成であってもよい。
【００１５】
以下、電子機器１Ａの詳細について説明する。
【００１６】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、信号処理部に供給されて、デジタルの映像信号及び音声信号に復調される。
【００１７】
ここで、上記信号処理部１０８は、上記デジタルの映像信号及び音声信号に対して、選択的に所定のデジタル信号処理を施し、グラフィック処理部１１２及び音声処理部１１４に出力している。
【００１８】
また、上記信号処理部１０８には、例えば４つの入力端子１０４〜１０７が接続されている。これら入力端子１０４〜１０７は、それぞれ、アナログの映像信号及び音声信号を、電子機器１Ａの外部から入力可能とするものである。
【００１９】
そして、この信号処理部１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理部１１２及び音声処理部１１４に出力している。
【００２０】
このうち、グラフィック処理部１１２は、信号処理部１０８から供給されるデジタルの映像信号に、ＯＳＤ（on screen display）信号生成モジュール１１１で生成されるＯＳＤ信号を重畳して出力する機能を有する。このグラフィック処理部１１２は、信号処理部１０８の出力映像信号と、ＯＳＤ信号生成部１１１の出力ＯＳＤ信号とを選択的に出力すること、また、両出力をそれぞれ画面の半分を構成するように組み合わせて出力することができる。
【００２１】
そして、グラフィック処理部１１２から出力されたデジタルの映像信号は、映像処理部１１３に供給される。映像処理部１１３により処理された映像信号は、映像表示部１４１に供給される。映像表示部１４１は、映像信号に基づく映像を表示する。
【００２２】
また、上記音声処理部１１４は、入力されたデジタルの音声信号を、スピーカ１４２で再生可能なフォーマットのアナログ音声信号に変換した後、スピーカ１４２に出力して音声再生させる。
【００２３】
ここで、この電子機器１Ａは、上記した各種の受信動作を含むその全ての動作をコントローラ１１０によって統括的に制御されている。コントローラ１１０は、ＣＰＵ（central processing unit）１１００等を備え、操作部１１５からの操作情報（各種指示）、または、リモートコントローラ１１６から送出され受信部１１７を介して受信した操作情報（各種指示）を受けて、その操作内容が反映されるように各モジュール等をそれぞれ制御する。またコントローラ１１０は、コンテンツの再生制御の機能も有しており、入力された操作情報に応じてコンテンツ再生を制御する。なお、受信部１１７及びリモートコントローラ１１６は、電波等を用いる無線通信により操作信号の送受信を行うものであってもよいし、赤外線を利用するものであってもよい。
【００２４】
また、コントローラ１１０は、ＣＰＵ１１００が実行する制御プログラムを格納したＲＯＭ（read only memory）１１０１と、ＣＰＵ１１００に作業エリアを提供するＲＡＭ（random access memory）１１０２と、各種の設定情報及び制御情報等が格納される不揮発性メモリ１１０３とを備えている。コントローラ１１０は、第１画面表示部２１０、配信機器登録部２２０およびコンテンツ配信部２４０を更に備える。第１画面表示部２１０は、ユーザからの指示を受けて、ネットワークに接続された少なくとも１つ以上の他機器の各々に対してコンテンツの配信を許可するか否かを決定する配信機器決定画面を表示器に表示する。配信機器登録部２２０は、コンテンツの配信を許可することが決定された他機器およびコンテンツの配信を許可しないことが決定された他機器の少なくとも一方を、例えば、不揮発性メモリ１１０３に登録する。コンテンツ配信部２４０は、配信機器登録部２２０の登録に基づき、コンテンツの配信が許可された他機器にコンテンツを配信する。
【００２５】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報伝送を行なうことができる。
【００２６】
また、上記コントローラ１１０は、通信インターフェース１２３を介してＬＡＮ端子１２２と接続されている。これにより、コントローラ１１０は、ＬＡＮ端子１２２に接続されたＬＡＮ対応機器と、通信インターフェース１２３を介して情報伝送を行なうことができる。この場合、コントローラ１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。ＬＡＮ端子１２２は、無線ＬＡＮの子機が接続されていてもよく、有線ＬＡＮの端子が接続されていてもよい。また、電子機器１Ａは、無線ＬＡＮの子機またはBluetooth（登録商標）接続可能な通信端末が内蔵されていてもよい。また、電子機器１Ａは通信インターフェース１２３を介して、コンテンツを記録したサーバ３００及びスマートフォン並びにタブレットといった携帯端末４００と通信可能である。
【００２７】
電子機器１Ａは、例えば、ネットワークに接続されている他の映像受信装置または録画機器が記録したコンテンツの情報またはコンテンツのデータそのものを取得できる。また、電子機器１Ａは、例えば、ネットワークに接続されている他の映像受信装置または録画機器に対して、電子機器１Ａ自身が記録しているコンテンツの情報またはコンテンツのデータそのものを送信できる。第１の実施形態に係る電子機器１Ａは、電子機器１Ａ自身が記録しているコンテンツを送信する相手機器（他機器）を選択することが可能である。
【００２８】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報伝送を行なうことができる。
【００２９】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報伝送を行なうことができる。
【００３０】
さらに、上記コントローラ１１０は、明るさセンサ１２１からの明るさ検出信号を受信するように構成されている。これにより、コントローラ１１０は、明るさ検出信号に基づき、映像及びバックライトの明るさ等を制御することができる。
【００３１】
さらに、上記コントローラ１１０は、チューナー部１０３により選局されデスクランブルされた放送信号を、記録部１５１またはＬＡＮ端子１２２もしくはＵＳＢ端子１２４を介して接続された外部記憶装置（ＨＤＤなど）へ録画するための録画動作を制御することもできる。上記したように、チューナー部１０３は、複数のチューナー１０３１〜１０３８を備えているので、電子機器１Ａは、同時に、複数チャンネルの番組を録画したり、複数チャンネルの番組を表示したりすることができる。また、電子機器１Ａは、スクランブル放送を認証する機能も備えている。
【００３２】
以上が、実施形態に係る電子機器１Ａの構成の概略的な説明である。以下に、電子機器１Ａが備える第１画面表示部２１０および配信機器登録部２２０について、図２〜５を参照しながら更に説明する。
【００３３】
図２は、実施形態に係る電子機器１Ａが、サーバ３００、テレビ２０および携帯端末２２とネットワークで接続されたシステムの一例を示した図である。ここで、携帯端末２２は、例えば、携帯電話、タブレット端末、クラムシェルタイプ等のＰＣである。テレビ２０および携帯端末２２は、電子機器１Ａに記録されたコンテンツのうち、電子機器１Ａにおいて配信が許可されたコンテンツを視聴することができる。また、電子機器１Ａ、テレビ２０および携帯端末２２は、サーバ３００に記録されたコンテンツを視聴することができる。上記システムは、例えば、家庭内ネットワークであり、それぞれの機器は、別々の部屋に存在している。例えば、電子機器１Ａが２階の寝室に配置され、電子機器１Ａの主なユーザが両親であり、テレビ２０が１階のリビングに配置され、テレビ２０および携帯端末２２の主なユーザが子供であるとする。両親は、寝室で使用している電子機器１Ａに記録したコンテンツを子供に見せたくない場合、テレビ２０が該コンテンツのデータを受信できないように、電子機器１Ａに該コンテンツのデータを配信しないよう設定することができる。以下にその手順を説明する。
【００３４】
先ずユーザは、自機に記録されたコンテンツの中から、他機器への配信を制限したいコンテンツを、例えば、コンテンツリストを表示させて選択する。コンテンツの選択は１つでも複数でもよい。次にサーバ機能の設定画面３を呼び出す。
【００３５】
図３は、サーバ機能の設定画面３の一例である。設定画面３は、例えば、リモートコントローラ１１６の設定画面ボタンを押下することによって、ディスプレイに表示可能である。設定画面３において、第１行ｒ３１〜第４行ｒ３４は、決定項目のタイトルとその設定状況またはページめくりのマークとが、それぞれ、第１列Ｃ３１と第２列Ｃ３２とに表示されている。また、第５行ｒ３５には、設定画面３のタイトルである「サーバ機能設定」が記されている。配信したくないコンテンツを指定するときは、「視聴制限番組の配信」項目を選択し、例えば、リモートコントローラ１１６の決定キーを押下する。
【００３６】
図４は、上記設定画面３において、「視聴制限番組の配信」項目を選択した場合に表示される暗証番号確認画面４である。暗証番号入力欄４２に予め登録した暗証番号を入力し、決定ボタン４４を選択して、例えば、リモートコントローラ１１６の決定キーを押下する。コンテンツ配信の設定画面は、暗証番号を知っている者のみが表示できるように暗証番号の入力が必要である。そのため、ユーザは予め暗証番号を登録しておく必要がある。
【００３７】
暗証番号を登録せずに、「視聴制限番組の配信」項目を選択した場合、図５に示す警告画面５を表示するように設定してもよい。警告画面５の上方には、「次の設定をしてください」とのメッセージが記され、警告画面５の中央には、暗証番号設定ボタン５２と放送視聴制限設定５４が表示され、警告画面５の下方には、「設定の方法は取扱い説明書をご覧ください」というメッセージとともに決定ボタン５６が表示されている。ユーザは、暗証番号設定ボタンを選定し（暗証番号設定ボタン５２の表示色を反転させ）、たとえば、リモートコントローラ１１６の決定キーを押下して、暗証番号を登録する画面を呼び出すことができる。
【００３８】
暗証番号確認画面４にて暗証番号が正しく入力され、例えば、リモートコントローラ１１６の決定キーが押下された場合、続いて、第１画面表示部２１０が図６に示す配信機器決定画面６を表示する。配信機器決定画面６の上方には、「配信制限機器設定」のタイトルが表示され、画面中央には、チェックボックス、ネットワークに接続された各他機器の名前、配置場所、ＭＡＣアドレス、およびコンテンツ配信の可否が、それぞれ、第１列Ｃ６１〜第５列Ｃ６５に示された一覧表が配置されている。
【００３９】
また、画面の右端には、すべての他機器にコンテンツの配信を許可しないことを一括して登録する「すべて配信しない」ボタンＢ６０と、すべての他機器にコンテンツの配信を許可することを一括して登録する「すべて配信する」ボタンＢ６２と、「登録完了ボタン」Ｂ６４とが配置されている。「すべて配信しない」ボタンＢ６０を選択して、例えば、リモートコントローラ１１６の決定キーを押すと、一覧表の全てのチェック欄が空白になる。「すべて配信する」ボタンＢ６２を選択して、例えば、リモートコントローラ１１６の決定キーを押すと、一覧表の全てのチェック欄がチェックされる。
【００４０】
図６に示した配信機器決定画面６の例では、一覧表の第１行ｒ６１に、子供部屋に置かれたＴＶ（デバイスネーム：３２ＸＸＹ）に対しては、コンテンツの配信を許可しないこと（チェックボックスが空白または配信欄×）が表示されている。また、一覧表の第２行ｒ６２に、携帯端末２２である（デバイスネーム：８ＸＹＺ）に対しては、コンテンツの配信を許可すること（チェックボックスがチェックされているまたは配信欄○）が表示されている。なお、デバイスネームの欄には、文字列（他機器の登録名）のみならず、アイコンが表示されてもよい。
【００４１】
ユーザは、上記配信機器決定画面６の一覧表において、例えば、リモートコントローラ１１６の方向キーを押下して、目標の他機器のチェックボックス欄を選択し（チェックボックス欄の表示色を反転させる）、決定ボタンを押すことによって、コンテンツの配信可否を決定することができる。
【００４２】
全ての他機器について、コンテンツの配信可否を決定した後、登録ボタンＢ６４を選択して、リモートコントローラ１１６の決定キーを押下すると、配信機器登録部２２０が登録内容を、例えば、不揮発性メモリ１１０３に登録する。配信機器登録部２２０は、コンテンツの配信を許可することが決定された他機器およびコンテンツの配信を許可しないことが決定された他機器の少なくとも一方の情報を登録する。なお、登録ボタンＢ６４を選択して、リモートコントローラ１１６の決定キーを押下すると、配信機器決定画面６は表示されなくなるようにしてもよい。
【００４３】
コンテンツ配信部２４０は、上記の一連の処理によって登録された情報に基づき、コンテンツの配信が許可された他機器にコンテンツを配信し、コンテンツの配信が許可されていない他機器にコンテンツを配信しない。コンテンツ配信部２４０は、コンテンツの配信を許可した他機器から、当該コンテンツの配信要求があった場合に当該コンテンツを配信する。
【００４４】
以上の説明を図７に示したフローチャートを参照しながら再度確認する。図７は、第１の実施形態に係る電子機器１Ａを用いて、コンテンツの配信を許可するまたは許可しない他機器を登録する際の処理の流れを示したフローチャートである。
【００４５】
先ず、暗証番号確認画面４において、暗証番号が入力され決定ボタンを押されると、電子機器１Ａは配信機器決定画面６を表示器に表示する指示を受ける（[７１]）。続いて、第１画面表示部２１０が、表示機に配信機器決定画面６を表示する（[７２]）。配信機器決定画面６にて、コンテンツの配信を許可するまたは許可しない他機器を決定する（[７３]）。配信機器登録部２２０が、配信機器決定画面６にて、決定された他機器を登録する（[７４]）。配信機器決定画面６の表示を終了する（[７５]）。
【００４６】
上で説明した第１の実施形態に係る電子機器１Ａは、自機に記録したコンテンツに対して年齢制限を設けずに、ネットワークに接続された他機器毎に配信するか否かを決定する。従って、コンテンツが配信されない他機器においては、上記年齢制限を破ってコンテンツが視聴されることがない。
【００４７】
（第２の実施形態）  
図８は、第２の実施形態に係る電子機器１Ｂの構成を示す図である。第２の実施形態に係る電子機器１Ｂは、更に第２画面表示部２３０を備えること以外は、第１の実施形態に係る電子機器１Ａと同様である。
【００４８】
図９は、コンテンツの配信を許可するか否かを問う配信可否決定画面９である。配信可否決定画面９では、画面情報に「視聴制限番組の配信」というタイトルが表示され、画面下方左側には、「配信する」と記されたボタン９０と「配信しない」と記されたボタン９２とが表示され、画面下方右側には、コメント欄９４が表示されている。図９に示した例では、「配信する」ボタン９０が選択されて、ボタンの表示色が反転されている。コメント欄９４内のメッセージは、選択されたボタンに合わせたメッセージが選択される。図９に示した例では、「視聴制限設定のある番組を公開・配信します」というメッセージが表示されている。「配信しない」ボタン９２が選択された場合、コメント欄９４内には、「視聴制限設定のある番組を公開・配信しません」というメッセージが表示される。
【００４９】
第２画面表示部２３０は、暗証番号確認画面４にて暗証番号を入力して決定キーが押下された場合に、上記配信可否決定画面９を表示する。配信可否決定画面９にて「配信する」ボタン９０が選択され、リモートコントローラ１１６の決定キーが押下されると、第１画面表示部２１０は、配信機器決定画面６を表示器に表示させる。配信可否決定画面９にて「配信しない」ボタン９２が選択され、リモートコントローラ１１６の決定キーが押下されると、配信可否決定画面９が表示されなくなるとともに、配信機器登録部２２０によって、すべての他機器にコンテンツの配信を許可しないことが不揮発性メモリ１１０３に登録される。
【００５０】
図１０は、第２の実施形態に係る電子機器１Ｂを用いて、コンテンツの配信を許可するまたは許可しない端末を登録する際の処理の流れを示したフローチャートである。第２の実施形態に係る電子機器１Ｂにおいて、コンテンツの配信を許可するまたは許可しない端末を登録する処理の流れを、図１０を参照しながら説明する。
【００５１】
先ず、暗証番号確認画面４において、暗証番号が入力され決定ボタンを押されると、電子機器１Ｂは配信機器決定画面６を表示器に表示する指示を受ける（[１０１]）。続いて、第２画面表示部２３０が、表示器に配信可否決定画面９を表示する（[１０２]）。配信可否決定画面９において、コンテンツを配信することを選択した場合（[１０３−ＹＥＳ]）、続いて、第１画面表示部２１０が、表示機に配信機器決定画面６を表示する（[１０４]）。次に、配信機器決定画面６にて、コンテンツの配信を許可するまたは許可しない他機器を決定する（[１０５]）。次に、配信機器登録部２２０が、配信機器決定画面６にて、コンテンツの配信を許可した他機器または許可しなかった他機器の少なくとも一方を登録する（[１０６]）。そして、配信機器決定画面６の表示を終了する（[１０７]）。配信可否決定画面９において、コンテンツを配信しないことを選択した場合（[１０３−ＮＯ]）、直ちに配信可否決定画面９の表示を終了する（[１０７]）。
【００５２】
上記の構成を採用した第２の実施形態に係る電子機器１Ｂは、先ずコンテンツの配信を許可するか否かを問うことによって、コンテンツの配信を許可しない場合は、配信先の他機器を選択する配信機器決定画面６の表示を省略するとともに、配信機器登録部２２０によって、すべての他機器にコンテンツの配信を許可しないことが不揮発性メモリ１１０３に登録される。また、電子機器１Ｂは、第１の実施形態と同様、自機に記録したコンテンツに対して年齢制限を設けずに、ネットワークに接続された他機器毎に配信するか否かを決定する。従って、コンテンツが配信されない他機器においては、上記年齢制限を破ってコンテンツが視聴されることがない。
【００５３】
上で説明した第１および第２の実施形態に係る電子機器１Ａおよび電子機器１Ｂは、配信機器登録部２２０が、コンテンツの配信を許可するか否かの情報を登録するのと併せて、通信インターフェース１２３を介して外部サーバに登録内容を送信する構成としてもよい。
【００５４】
こうすると自機以外のコンテンツ録画装置（例えば、外部サーバ）に録画されたコンテンツに対しても、ネットワークに接続された他機器毎に配信するか否かを制御することが可能となる。
【００５５】
また、第１および第２の実施形態では、先ずコンテンツを選んでから、どの他機器に配信を許可するか否かを決定した。しかしながら、配信を許可する他機器の組み合わせが定められた配信許可リストを１つ以上予め作成しておき、各配信許可リストに対してコンテンツを選択するようにしてもよい。
【００５６】
（第３の実施形態）  
図１１は、第３の実施形態に係る電子機器１Ｃの概略的な構成図である。電子機器１Ｃは、サーバ３００であり、送受信部３１０、記録部３２０、配信機器登録部３３０、ＣＰＵ３４０およびコンテンツ配信部３５０を備える。送受信部３１０は、他機器に対して自機に記録されたコンテンツのリストおよびコンテンツのデータを送信する。また、送受信部３１０は、他機器が送信した自機コンテンツリストを基に生成したコンテンツ配信制限情報を受信する。コンテンツ配信制限情報とは、ネットワークに接続された少なくとも１つ以上の他機器の各々に対してコンテンツの配信を許可するか否かが示された情報である。配信機器登録部３３０は、上記受信した情報に基づいてコンテンツの配信を許可する他機器とコンテンツの配信を許可しない他機器とを記録部３２０に記録する。コンテンツ配信部３５０は、上記の一連の処理によって登録された情報に基づき、コンテンツの配信が許可された他機器にコンテンツを配信し、コンテンツの配信が許可されていない他機器にコンテンツを配信しない。コンテンツ配信部３５０は、コンテンツの配信を許可した他機器から、当該コンテンツの配信要求があった場合に当該コンテンツを配信する。ＣＰＵ３４０は、送受信部３１０、記録部３２０、配信機器登録部３３０、およびコンテンツ配信部３５０の動作を制御する。
【００５７】
上記構成が採用された第３の実施形態に係る電子機器１Ｃは、第１および第２の実施形態と同様に、自機に記録したコンテンツに対して年齢制限を設けずに、ネットワークに接続された端末毎に配信するか否かを決定する。従って、コンテンツが配信されない端末においては、上記年齢制限を破ってコンテンツが視聴されることがない。
【００５８】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５９】
例えば、上に説明した各表示画面は、ユーザからの操作が何も行われないまま、所定の時間が過ぎると表示されなくなるようにしてもよい。所定の時間とは、例えば、１０秒、２０秒、３０秒、４０秒、５０秒もしくは６０秒である。または、上記所定の時間は、ユーザが任意に設定して不揮発性メモリ１１０３に登録することも可能である。
【００６０】
また、第１〜第３の実施形態に係る電子機器１Ａ、１Ｂおよび１Ｃは、新たにネットワークに接続された他機器に対して、コンテンツの配信を許可するかまたは許可しないことを予めユーザによって設定されることができる。新たに接続された他機器に対して、コンテンツの配信を許可しない設定にした場合、新しい他機器をネットワークに接続することによって視聴制限を課したコンテンツが視聴されることを防止できる。
【符号の説明】
【００６１】
１Ａ、１Ｂ…電子機器、１０１…アンテナ、１０２…入力端子、１０３…チューナー部、１０４〜１０７…外部入力端子、１０８…信号処理部、１１０…コントローラ、１１１…ＯＳＤ信号生成部、１１２…グラフィック処理部、１１３…映像処理部、１１４…音声処理部、１１５…操作部、１１７…受信部、１１９…カードホルダ、１２０…カードインターフェース、１２１…明るさセンサ、１２２…ＬＡＮ端子、１２３…通信インターフェース、１２４…ＵＳＢ端子、１２５…ＵＳＢインターフェース、１２８…ＨＤＭＩ端子、１２９…ＨＤＭＩインターフェース、１４１…映像表示部、１４２…スピーカ、１５１…記録部、２１０…第１画面表示部、２２０…配信機器登録部、２３０…第２画面表示部、２４０…コンテンツ配信部、３００…サーバ、３１０…送受信部、３２０…記録部、３３０…配信機器登録部、３４０…ＣＰＵ、４…暗証番号確認画面、５…警告画面、６…配信機器決定画面、９…配信可否決定画面
【図１】
2016066971.tif 000003
【図２】
2016066971.tif 000004
【図３】
2016066971.tif 000005
【図４】
2016066971.tif 000006
【図５】
2016066971.tif 000007
【図６】
2016066971.tif 000008
【図７】
2016066971.tif 000009
【図８】
2016066971.tif 000010
【図９】
2016066971.tif 000011
【図１０】
2016066971.tif 000012
【図１１】
2016066971.tif 000013